(57)【特許請求の範囲】
【請求項１】
電波により通信を行うとともに、移動体電話端末機と、この移動体電話端末機からの発呼に応じた交換処理を行う移動体電話交換機を備えた移動通信システムにおいて、
前記移動体電話端末機は、通信事業者に対して電話交換機能の提供を申し込むことができ、
前記移動体電話交換機は、前記移動体電話端末機から緊急連絡先の電話番号を発呼して通信を終了した後、前記移動体電話端末機からの緊急呼の終話信号（または前記移動体電話端末機の緊急呼の通話状態から電源オフ状態への変化を示す信号）を検出したことに基づいて、前記移動体電話端末機の呼び返しを妨げる電話交換機能の提供が登録されているとき、その登録データを登録状態から未登録状態に書き換え、この状態を予め設定した時間保持した後、前記登録状態に戻すことを特徴とする移動通信システム。
【請求項２】
前記移動体電話端末機は、その終話操作（又は電源オフの操作）を検出したことにより緊急呼の切断を検出する緊急呼検出回路と、
前記緊急呼検出回路が前記緊急呼の切断を検出したことをもって前記移動体電話端末機内の各部への電源供給を所定時間オンにする電源保持回路を備えることを特徴とする請求項１記載の移動通信システム。
【請求項３】
前記移動体電話端末機は、携帯電話機、ＰＨＳ電話機、又は自動車電話機であることを特徴とする請求項１又は２記載の移動通信システム。
【請求項４】
前記移動体電話交換機は、前記移動体電話端末機の前記登録データを保存する記憶手段と、
前記移動体電話端末機からの緊急呼の終話信号（または前記移動体電話端末機が通話状態から電源オフの状態になったことを示す信号）を検出する検出手段と、
前記検出手段による前記終話信号（又は前記電源オフ状態を示す信号）の検出に基づいて、予め設定した時間だけ前記移動体電話端末機の前記登録データを登録状態から未登録状態に書き換えるサービス登録制御回路を備えることを特徴とする請求項１記載の移動通信システム。
【請求項５】
前記移動体電話端末機からの緊急呼の終話信号（または前記移動体電話端末機が通話状態から電源オフの状態になったことを示す信号）を検出する検出手段と、
前記検出手段による前記終話信号（又は前記電源オフ状態を示す信号）の検出に基づいて、予め設定した時間だけ前記移動体電話端末機の前記登録データを登録状態から未登録状態に書き換える登録制御回路とを備え、
前記移動体電話交換機には、前記移動体電話交換機から分離して設けられた専用のノードが接続され、前記移動体電話端末機の前記登録データが前記ノードに保存されることを特徴とする請求項１記載の移動通信システム。
【発明の詳細な説明】
【０００１】
【発明の属する技術分野】
本発明は、移動通信システムに関し、特に、携帯電話機等の移動体電話端末機を用いて緊急通信を行なった際、警察、消防等の緊急連絡先からの呼び返しに対する移動体電話端末機の応答の確率が高められるようにする移動通信システムに関する。
【０００２】
【従来の技術】
携帯電話機やＰＨＳ（Personal Handyphone System）電話機等の移動体電話端末機（移動電話装置）の契約台数が固定電話機を越える台数に普及した結果、事故（事件）、災害等の緊急時の警察や消防等への連絡を移動体電話端末機を用いて行うケースが増えている。警察や消防等では緊急連絡を受けて通信を終了した後、所在地や現場の状況の確認などのために、緊急連絡先から呼び返し（接続切断後の着信側から発呼側への呼び出しをいう）を受ける場合がある。この呼び返しに対し、通報者が所持している移動体電話端末機の電源をオフにしていた場合、呼び返しを行っても連絡をとることができず、緊急事態の処理に苦慮することが考えられる。
【０００３】
全ての移動体電話端末機は、バッテリーを電源にして動作しており、バッテリーの高性能化及び回路技術の進歩によって使用可能時間は飛躍的に向上した。しかし、バッテリーの残量が少なくなった場合、使用時にのみ電源をＯＮにすることを習慣にしている場合等には、使用者は電源をオフにしてしまう。また、使用が禁止又は制限されている場所では電源スイッチがオフにされる。このように、電源がオフにされた場合、通報者の移動体電話端末機は呼び返しに応答できず、したがって警察や消防等の緊急運絡先は通報者と連絡が取れなくなる。
【０００４】
これを解決するものとして、特開平１１−３４６１８５号公報があり、特定の電話番号（１１０番、１１９番等）を特定電話番号記憶手段に記憶し、この特定電話番号記憶手段に記憶された特定の電話番号と発呼のために入力された電話番号とを比較し、両者が一致するときに特定電話番号比較手段からロック信号を出力し、このロック信号を電源制御手段が受けたときに電源ＯＮを継続するタイマーを起動させ、電源オフを許可しないようにしている。これにより、警察や消防等の緊急運絡先に通信を行った後、電源がオフにできないようになる結果、警察や消防等の緊急運絡先からの呼び返しに応答することが可能になる。
【０００５】
【発明が解決しようとする課題】
しかし、従来の移動通信システムによると、電源オンの継続によって呼び返しの成功確率が高くなったものの、移動体電話端末機の所有者が留守番電話、着信転送等のサービスを登録している場合、緊急呼による呼び返しの際、留守番受付システムに着信したり、転送先の電話機に転送される等の事態が発生する。また、緊急呼の発呼者が、発呼した直後に移動体電話端末機の電源を切断してしまった場合、前記移動体電話端末機に呼び返しが着信できないという問題がある。
【０００６】
したがって、本発明の目的は、緊急運絡先などの特定の電話番号へ発呼動作を行なって通信した後の呼び返しの際、発呼者の移動体電話端末機に確実に着信できるようにした移動通信システムを提供することにある。
【０００７】
【課題を解決するための手段】
本発明は、上記の目的を達成するため、電波により通信を行うとともに、移動体電話端末機と、この移動体電話端末機からの発呼に応じた交換処理を行う移動体電話交換機を備えた移動通信システムにおいて、前記移動体電話端末機は、通信事業者に対して複数の電話交換機能の提供を申し込むことができ、前記移動体電話交換機は、前記移動体電話端末機から緊急連絡先等の特定の電話番号を発呼して通信を終了した後、前記移動体電話端末機からの緊急呼の終話信号（または前記移動体電話端末機の緊急呼の通話状態から電源オフ状態への変化を示す信号）を検出したことに基づいて、前記移動体電話端末機の呼び返しを妨げる電話交換機能の提供の申込が登録されているとき、その登録データを登録状態から未登録状態に書き換え、この状態を予め設定した時間保持した後、前記登録状態に戻すことを特徴とする移動通信システムを提供することにある。
【０００８】
この構成によれば、移動体電話端末機が警察、消防等の特定の電話番号を発呼して通信を終了すると、その後に警察、消防等の着信側からの呼び返しに対して、留守番電話や着信転送等のサービス登録に接続されることなく、移動体電話端末機に接続されるようにするため、通信の終了、又は前記移動体電話端末機の通話状態から電源オフ状態への変化を検出したとき、サービス登録を一定時間に限り、移動体電話交換機により登録状態から末登録状態に書き換える。これにより、警察、消防等の着信側からの呼び返しに対し、移動体電話端末機が応答する確率を高めることができる。
【０００９】
【発明の実施の形態】
以下、本発明の実施の形態について図面を基に説明する。
図１は、本発明による移動通信システムを示す。
図１は、本発明の移動通信システムを示す。以下においては、移動体電話端末装置として、携帯電話機を用いるものとする。
携帯電話機１０は通信事業者との契約により加入者となることで使用でき、他の携帯電話機、さらには移動体電話端末機の他の通信方式であるＰＨＳ、自動車電話等の移動電話機や有線の固定電話機との間で通話することができ、その通話は基地局１１との間で電波により接続することで行われる。移動通信基地局１１（以下、基地局１１という）には移動通信交換機１２が接続され、この移動通信交換機１２に固定網交換機１３が接続されている。固定網交換機１３には、警察、消防等の受付台１４が接続されている。
【００１０】
携帯電話機１０の使用者（発呼者）が緊急呼の特定番号（１１０番または１１９番）をダイヤルすると、その発呼信号は基地局１１によって受信される。この発信無線信号は、さらに移動体電話交換機１２に転送される。移動通信交換機１２は、基地局１１からの発呼信号を分析し、固定網交換機１３を経由して携帯電話機１０の発信場所に近い警察署または消防署の受付台１４に携帯電話機１０の“呼”を着信させる。受付台１４への移動通信交換機１２からの緊急呼の着信は、受付台１４の受付者（担当者）によって確認される。受付者は受付台１４を通して、携帯電話機１０の発呼者とその後の処置に必要な通話や情報取得のための通話を行う。この通話において、発呼者が先に通話を切断した場合、受付台１４側から携帯電話機１０の使用者を呼び返すことができる機能を持っている。
【００１１】
携帯電話機１０の概略動作について説明すると、発呼者（携帯電話機１０の使用者）による緊急呼の通話が発呼者の操作により終了すると、携帯電話機１０の電源は、予め設定された時間長だけ、自動的に電源ＯＮ状態になる。また、移動通信交換機１２は、携帯電話機１０の緊急呼が終話したことを検出すると、予め設定された時間長だけサービス登録の一部を登録状態から未登録状態に自動的に書き換える。これにより、携帯電話機１０の電源オフが防止されると共に、留守番受付システムに着信されたり、転送先の電話機に転送される等が防止され、発呼した携帯電話機１０への呼び返しの成功の確率が向上する。したがって、呼び返しの不通によって、警察や消防の活動が遅滞するのを改善できる。
【００１２】
図２は、図１の携帯電話機１０の詳細構成を示す。
携帯電話機１０は、アンテナ１０１、無線部１０２、通信制御部１０３、情報処理部１０４、ＲＯＭ（リード・オンリー・メモリ）１０５、ＲＡＭ（ランダム・アクセス・メモリ）１０６、オーディオ制御部１０７、マイク１０８、スピーカー１０９、ＬＥＤ（発光ダイオード）制御部１１０、入力制御部１１１、表示制御部１１２、ＬＥＤ１１３、入力部１１４、表示部１１５、緊急呼検出回路１１６、及び電源保持回路１１７を備えて構成されている。
【００１３】
アンテナ１０１は不図示の電話機本体の上部に伸縮可能に取り付けられているロッドアンテナである。無線部１０２は、送信回路（いずれも図示せず）、受信回路、及びＰＬＬ（位相同期ループ）回路を備えて電波の送信及び受信を行う。通信制御部１０３は、無線部１０２に対する受信制御と送信制御を行う。情報処理部１０４は入力操作や受信により得られた情報及び表示のための処理を行う。ＲＯＭ１０５は、通信（電話）機能、及び通信以外の各種の機能（電子手帳機能、電話帳機能、録音機能、メール機能、スケジュール機能、ゲーム機能等）を実行するためのプログラムが格納されている。ＲＡＭ１０６は、使用者が入力した電話番号、設定内容、個人情報、受信により取得した情報等が記憶される。オーディオ制御部１０７は、送話器としてのマイク１０８からの音声の処理及び受話器としてのスピーカ１０９からの発声処理を行う。ＬＥＤ１１３は着信や充電時の点灯に用いられ、その点灯制御がＬＥＤ制御部１１０により行われる。入力制御部１１１は入力部１１４（数字キーや記号キー、機能キー等を備える）からの入力を処理する。表示制御部１１２は、液晶による表示部１１５の表示を制御する。
【００１４】
緊急呼検出回路１１６は、携帯電話機１０の使用者（発呼者）が終話ボタン（又は電源ＯＦＦボタン）の操作によって、緊急呼が切断されたことを検出する。電源保持回路１１７は、緊急呼検出回路１１６からの緊急呼切断情報１１８を受信すると、携帯電話機１０の各部に一定時間だけ電源を供給し続ける。この状態下では、使用者が移動体電話端末機１０の電源をＯＦＦにする操作を行っても、電源をＯＦＦにすることはできない。
【００１５】
図３は移動体電話交換機１２の詳細構成を示す。
移動体電話交換機１２は、検出手段としての中央処理装置１２１、サービス登録データ１２３（留守番電話、着信転送等のサービスに関するデータ）が記録される記憶手段としての加入者データメモリ１２２、及びサービス登録制御回路１２４を備えて構成されている。
中央処理装置１２１は、携帯電話機１０からの緊急呼の終話信号（または緊急呼の通話状態から電源ＯＦＦへの変化を示す信号）を検出する。サービス登録制御回路１２４は、中央処理装置１２１からの指示に基づいて携帯電話機１０に対するサービス登録データ１２３の登録データが、予め設定した時間だけ登録状態から未登録状態に書き換える処理を実行する。加入者データメモリ１２２には、半導体メモリ、ハードディスク等を用いることができる。
【００１６】
図４は本発明の移動通信システムの動作を示す。図４には、携帯電話機１０と受付台１４間の通信手順が示されている。図中、Ｓはステップを表している。
次に、図１〜図４を参照して本発明の移動通信システムの動作について説明する。
携帯電話機１０の使用者が、携帯電話機１０から緊急の特定番号（１１０番又は１１９番）をダイヤルして発信（発呼）すると（Ｓ２０１）、その発呼信号は電波により基地局１１に送られる。基地局１１は受信した発呼信号を移動体電話交換機１２へ転送する。移動体電話交換機１２においては、中央処理装置１２１により発呼信号の分析処理が行われ、それが緊急呼の接続要求である場合には、固定網交換機１３を経由して警察または消防の受付台１４に着信させる（Ｓ２０２）。受付台１４の受付者（担当者）が応答すると（Ｓ２０３）、携帯電話機１０の使用者は通話に入ることができる（Ｓ２０４）。この通話の終了後（Ｓ２０５）、緊急呼の発呼者が携帯電話機１０の入力部１１４の終話ボタン（又は電源ＯＦＦボタン）の操作によって接続を切断すると（Ｓ２０６）、緊急呼検出回路１１６は接続切断を検出し、電源保持要求信号１１８を電源保持回路１１７へ送出する。電源保持回路１１７は、電源保持要求信号１１８を受信すると、携帯電話機１０の各部への電源供給を予め設定した時間だけ強制的にＯＮにする（Ｓ２０７）。設定時間ｔの経過後は、使用者による電源ＯＦＦが可能になる（Ｓ２１３）。
【００１７】
移動体電話交換機１２は通話の切断を中央処理装置１２１で検出すると、サービス登録制御回路１２４を起動する。サービス登録制御回路１２４は、起動されると加入者データメモリ１２２内のサービス登録データ１２３内に格納されている緊急呼を発信した加入者のサービス登録の内、留守番サービス、着信転送等のサービス登録を解除して未登録状態にする（Ｓ２０８）。その後、サービス登録制御回路１２４は、予め設定したタイマ時間ｔの経過を認識すると、解除していたサービス登録を登録状態に戻す処理を実行する（Ｓ２１４）。これにより、留守番電話や着信転送等の登録してあったサービスの使用が可能になる。
【００１８】
設定時間ｔ（＝タイマ時間ｔ）の時間内において受付台１４から呼び返し（Ｓ２０９）があると、その発呼は固定網交換機１３→移動体電話交換機１２→基地局１１を経由して携帯電話機１０に到達し、着信する（Ｓ２１０）。携帯電話機１０は電源ＯＮ状態が続いており、しかもサービス登録が未登録状態にあることから、確実に携帯電話機１０を呼び出すことができ、通話（Ｓ２１１）に至らせることができる。この通話の終了後（Ｓ２１２）、設定時間ｔになれば携帯電話機１０の電源ＯＦＦが可能になる（２１３）。また、タイマ時間ｔになれば、移動体電話交換機１２はサービスを末登録状態から登録状態に戻し（Ｓ２１４）、緊急の特定番号を発呼する前の状態にする。
【００１９】
上記実施の形態において、移動体電話交換機１２に確保していた加入者データメモリ１２２（記憶手段）を、移動体電話交換機１２の外に専用のノードを設置し、このノードと移動体電話交換機１２を接続する構成にしてもよい。このようにすれば、記憶手段の変更、拡張、取り替え等が容易になる。
さらに、上記実施の形態においては、移動体電話端末装置として、携帯電話機を用いたが、本発明は携帯電話機に限定されるものではなく、個人が携帯（携行）しながら移動先で公衆電話回線に接続可能に構成され、留守番電話、着信転送等のサービスの提供が受けられる電話機、具体的には、ＰＨＳ電話機、自動車電話機も本発明の適用対象であることは言うまでもない。
【００２０】
【発明の効果】
以上より明らかなように、本発明の移動通信システムによれば、移動体電話端末機が警察、消防等の緊急呼を特定の電話番号により発呼し、その通信の終了又は前記移動体電話端末機の通話状態から電源オフ状態への変化を検出したとき、サービス登録を一定時間に限り、移動体電話交換機により登録状態から末登録状態に書き換えるようにしたので、登録したサービスに呼び返しが接続されるのを防止でき、緊急呼の相手側からの呼び返しの際、移動体電話端末機が応答する確率を高めることができる。
【図面の簡単な説明】
【図１】本発明による移動通信システムを示すブロック図である。
【図２】図１の携帯電話機の詳細構成を示すブロック図である。
【図３】図１の移動体電話交換機の詳細構成を示すブロック図である。
【図４】本発明の移動通信システムの動作を示すシーケンス図である。
【符号の説明】
１０  携帯電話機
１１  基地局
１２  移動体電話交換機
１３  固定網交換機
１４  受付台
１０２  無線部
１０３  通信制御部
１０４  情報処理部
１１４  入力部
１１６  緊急呼検出回路
１１７  電源保持回路
１２１  中央処理装置
１２２  加入者データメモリ
１２３  サービス登録データ
１２４  サービス登録制御回路
【図１】
0003752986.tif 000002
【図２】
0003752986.tif 000003
【図３】
0003752986.tif 000004
【図４】
0003752986.tif 000005